(57)【特許請求の範囲】
【請求項１】
野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部の上記低温部屋近くにはひとつの冷気吐き出し口を設けてなり、上記低温部屋冷気もどり口の開口面積を、上記高温部屋冷気もどり口の開口面積より広くして上記低温部屋の外側周辺に冷気の流れる量を多くしたことを特徴とする冷蔵庫。
【請求項２】
野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部には冷気吐き出し口を設けてなり、上記低温部屋冷気もどり口の開口面積を、上記高温部屋冷気もどり口の開口面積より広くして上記低温部屋の外側周辺に冷気の流れる量を多くしたことを特徴とする冷蔵庫。
【請求項３】
上記野菜室上方に上部仕切部を介して冷蔵室を設け、前記上部仕切部に冷蔵室から野菜室に通じる仕切開口部を設けたことを特徴とする請求項１または請求項２に記載の冷蔵庫。
【請求項４】
上記仕切開口部を高温部屋側に設けたことを特徴とする請求項３に記載の冷蔵庫。
【請求項５】
野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部の上記低温部屋近くにはひとつの冷気吐き出し口を設けてなり、上記低温部屋冷気もどり口の開口面積を、上記高温部屋冷気もどり口の開口面積より広くして上記低温部屋の外側周辺に冷気の流れる量を多くし、上記野菜室上方に上部仕切部を介して冷蔵室を設け、前記上部仕切部に冷蔵室から野菜室に通じる仕切開口部を設け、上記仕切開口部は、上記冷気吐き出し口付近と上記高温部屋側にそれぞれ設けられ、上記高温部屋側の仕切開口部の開口面積を、上記冷気吐き出し口付近の仕切開口部の開口面積より広くしたことを特徴とする冷蔵庫。
【請求項６】
上記ケース上部に小物ケースを配設し、前記小物ケースには上記ケースの隔壁上方に小物ケースの隔壁を設けたことを特徴とする請求項１乃至請求項５の何れか一つに記載の冷蔵庫。
【発明の詳細な説明】
【０００１】
【発明の属する技術分野】
本発明は、野菜室を設けた冷蔵庫に関するものである。
【０００２】
【従来の技術】
従来のこの種の冷蔵庫は実開昭６２−２９０７２号公報に開示されているように、野菜等の食品収納室内に装設するケース（食品収納ケース）内を隔壁（仕切壁）によって分割し、その一方を高温食品収納部とし、その高温食品収納部に冷気流路に連なるダクトの吹出口を対向させ、ダクト内に加熱用のヒータを設けてなるものである。
【０００３】
【発明が解決しようとする課題】
上記のように、実開昭６２−２９０７２号公報に開示されている従来の冷蔵庫では、冷気をヒータで加熱し高温食品収納部へ送っているため、電気を余分に使うという課題があった。
【０００４】
【課題を解決するための手段】
本発明の冷蔵庫は上記のような課題を解決したものであり、請求項１記載の発明は、野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部の上記低温部屋近くにはひとつの冷気吐き出し口を設けてなり、上記低温部屋冷気もどり口の開口面積を、上記高温部屋冷気もどり口の開口面積より広くして上記低温部屋の外側周辺に冷気の流れる量を多くしたことを特徴とするものであり、この構成により、高温部屋付近には冷気が少なく流れるよう設定でき、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、高温部屋へはヒータを使うことなく高い温度の部屋が得られる。
【０００５】
また、請求項２記載の発明は、野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部には冷気吐き出し口を設けてなり、上記低温部屋冷気もどり口の開口面積を、上記高温部屋冷気もどり口の開口面積より広くして上記低温部屋の外側周辺に冷気の流れる量を多くしたことを特徴とするものであり、この構成により、高温部屋付近には冷気が少なく流れるよう設定でき、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、高温部屋へはヒータを使うことなく高い温度の部屋が得られる。
【０００６】
また、請求項３記載の発明は、請求項１または請求項２に記載の発明において、冷蔵室の下方に上部仕切部を介して野菜室を設けた冷蔵庫であって、上記上部仕切部に冷蔵室から野菜室に通じる仕切開口部を設けたことを特徴とするものであり、この構成により、高温部屋付近には冷蔵室からの比較的温度の高い冷気が流れるよう設定でき、ヒータを使うことなく高い温度の部屋が得られると同時に、冷蔵室からの比較的温度の高い冷気と冷気吐き出し口からの冷気が混ざり合い、低温部屋には野菜凍結の心配の少ない温度が容易に設定できる。
【０００７】
そして、請求項４記載の発明は、請求項３記載の発明において、上記仕切開口部を高温部屋側に設けたことを特徴とするものであり、この構成により、高温部屋付近には冷蔵室からの比較的温度の高い冷気が確実により多く流れるよう設定でき、ヒータを使うことなく高い温度の部屋がいっそう確実に得られる。
【０００８】
また、請求項５記載の発明は、野菜室にケースを設置し、そのケースを隔壁により左右に分割して一方を低温部屋とし他方を高温部屋とし、独立した低温部屋側の野菜室背壁コーナー部またはその近くに低温部屋冷気もどり口を設け、上記高温部屋の近傍の上記野菜室背壁に高温部屋冷気もどり口を設け、かつ、上記野菜室背壁上部の上記低温部屋近くにはひとつの冷気吐き出し口を設けてなり、上記低温部屋冷気もどり口の開口面積を、上記高温部屋冷気もどり口の開口面積より広くして上記低温部屋の外側周辺に冷気の流れる量を多くし、上記野菜室上方に上部仕切部を介して冷蔵室を設け、前記上部仕切部に冷蔵室から野菜室に通じる仕切開口部を設け、上記仕切開口部は、上記冷気吐き出し口付近と上記高温部屋側にそれぞれ設けられ、上記高温部屋側の仕切開口部の開口面積を、上記冷気吐き出し口付近の仕切開口部の開口面積より広くしたことを特徴とするものであり、この構成により、高温部屋付近には冷気が少なく流れるよう設定でき、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、高温部屋へはヒータを使うことなく高い温度の部屋が得られる。また、高温部屋付近には冷蔵室からの比較的温度の高い冷気が確実により多く流れるよう設定でき、ヒータを使うことなく高い温度の部屋がいっそう確実に得られると同時に、冷蔵室からの比較的温度の高い冷気と冷気吐き出し口からの冷気が混ざり合い低温部屋には野菜凍結の心配のない野菜保存に適した温度が容易に得られる。
【０００９】
さらに、請求項６記載の発明は、請求項１から請求項５の何れか一つに記載の発明において、上記ケース上部に小物ケースを配設し、前記小物ケースには上記ケースの隔壁上方に小物ケースの隔壁を設けたことを特徴とするものであり、この構成により、上記小物ケースも各々独立した部屋となり、ケース側の対応する各々の独立した部屋に近い温度に小物ケース側の各部屋も設定され、より容易に各部屋の温度設定ができる。
【００１０】
【発明の実施の形態】
以下本発明の冷蔵庫の実施の形態を図面とともに説明する。
【００１１】
図１は本発明の冷蔵庫の実施の形態を示す野菜室付近の要部断面図であり、図２は図１に示す野菜室付近のＡ−Ａ線の要部断面図である。
【００１２】
図１において、１は冷蔵庫本体、２は野菜室、３はケースで、上に開口部を設け、上方より貯蔵物の出し入れを行う、特に大型の野菜等の貯蔵物を収納するためのものである。４は隔壁でありケース３を各々独立した部屋に仕切っている。５は冷気吐き出し口であり野菜室背壁６の上部に設けられており、冷気吐き出し口５から野菜室２へ冷気を送り込んでいる。
【００１３】
７は調湿カバーでケース３および小物ケース８の上方を覆うように野菜室２の上部に位置し、少なくとも一部は湿気を透過する性質を持ち、ケース３内および小物ケース８内を一定湿度に保つための蓋の役目をする。なお、小物ケース８はケース３の上部に位置し、小型の野菜類や小さく切った食品等の小型の貯蔵品を収納するためのものである。
【００１４】
９は小物ケースの隔壁であり、上記隔壁４の上方部に設け、ケース３に合わせて小物ケース８を各々独立した部屋に仕切っている。１０は上部仕切部で野菜室２とその上にある上部貯蔵室とを仕切っており、本図は上部貯蔵室が野菜室２と温度差の少ない冷蔵室であるため、上部仕切部１０の断熱層を薄くしてある。
【００１５】
１０ａは低温部屋用仕切開口部であり、冷気吐き出し口５の近傍の上部仕切部１０に設けてある。１１は野菜室扉、１２はアングルで野菜室扉１１にビスなどにて固着されてあり、ケース３および小物ケース８を保持し、野菜扉１１を手前にひくことにより、ケース３および小物ケース８を野菜室２内から外部へ引き出すためのものである。１３は冷蔵庫本体１内の空気を冷やすための蒸発器、１４はファンおよび駆動モータからなる送風用のファン組品である。
【００１６】
次に野菜室２内の冷気流を図１で説明すると、蒸発器１３で冷やされた冷気は、ファン組品１４にて冷蔵室へ送るダクトの一部から野菜室２へ冷気を送る冷気通路を通り、冷気吐き出し口５より野菜室２へ送り込まれる。野菜室２へ送り込まれた冷気は、調湿カバー７と上部仕切部１０との空間を通過し、調湿カバー７の前方から下へ流れる。
【００１７】
この時、野菜室２の上に冷蔵室があり、冷気吐き出し口５近傍の上部仕切部１０に低温部屋用仕切開口部１０ａがある場合、冷気吐き出し口５から野菜室２へ送り込まれた冷気は、低温部屋用仕切開口部１０ａから流入する冷蔵室側からの比較的温度の高くなった冷気と混合し、野菜凍結の心配のない野菜保存に適した冷気となる。
【００１８】
その後、冷気は野菜室扉１１とケース３の空間を通りケース３外部の下方へ流れる。ケース３外部の下を流れた冷気は、各々の冷気もどり口（図２における符号１６、１７）へ流れ込む。この間、冷気はケース３内および小物ケース８内の貯蔵品を間接的に冷却する。
【００１９】
各々の冷気もどり口へ流れ込んだ冷気は、その後、蒸発器１３に通じる蒸発器用冷気通路（図２における符号１８）を通り蒸発器１３の下部へ帰る。隔壁４は、小物ケース８があるので、確実に各部屋を仕切るため、Ｌ字型にしてある。なお、１５は野菜室２側にも断熱材を設けた冷気もどり通路であり、野菜室２に設けた各々の冷気もどり口をつなぐためのものである。
【００２０】
図２は図１に示す野菜室２付近のＡ−Ａ線の要部断面図であるが、矢印で示された冷気流は、野菜室２を正面から見たときの野菜室２の内部全体での冷気流を示している。
【００２１】
冷気吐き出し口５を通って野菜室２に送られた冷気は、調湿カバー７とケース３とで囲まれた貯蔵部周辺を、矢印が示すように分散して流れ、野菜室背壁６両端近くの一方に設けた低温部屋冷気もどり口１６、および、高温部屋３ｂ近傍の野菜室背壁６に設けた高温部屋冷気もどり口１７を通り蒸発器へ帰る。
【００２２】
この間、冷気吐き出し口５を通って野菜室２に送られた冷気は、高温部屋冷気もどり口１７より低温部屋冷気もどり口１６の開口面積が広く、かつ、冷気吐き出し口５が低温部屋冷気もどり口１６近くの上部にあるため、調湿カバー７の小物低温部屋８ａ上部を集中的に流れ、その後多くの冷気は低温部屋３ａ外側の前方および下方を通り、低温部屋冷気もどり口１６へもどる。低温部屋３ａおよび小物低温部屋８ａの外側周辺には多くの冷気が流れ、これらの部屋の貯蔵物を間接的に低温に冷却する。
【００２３】
なお、冷気吐き出し口５を通って野菜室２に送られた一部の冷気は、調湿カバー７の小物高温部屋８ｂ上部を流れ、その後高温部屋３ｂ外側の前方および下方を通り、高温部屋冷気もどり口１７へもどるため、高温部屋３ｂおよび小物高温部屋８ｂの外側周辺にはわずかの冷気が流れるのみで、これらの部屋の貯蔵物を間接的にヒーターを使うことなく比較的に温度の高い状態で保存する。
【００２４】
高温部屋３ｂおよび小物高温部屋８ｂの外側周辺に流れた冷気は比較的温度が高い状態になっているが、低温部屋冷気もどり口１６へは流れ込まないため、その比較的温度の高い冷気が低温部屋３ａを暖めるというような冷却効率の悪さは防がれる。
【００２５】
１０ｂは高温部屋用仕切開口部であり、野菜室２の上に冷蔵室のある場合、高温部屋３ｂまたは小物高温部屋８ｂの近傍の上部仕切部１０に設けてある。高温部屋用仕切開口部１０ｂから流れ出る冷蔵室側からの比較的温度の高くなった冷気は、調湿カバー７の小物高温部屋８ｂ上部を集中するように流れ、その後高温部屋３ｂ外側の前方および下方を通り、高温部屋冷気もどり口１７へもどる。高温部屋３ｂおよび小物高温部屋８ｂの外側周辺には多くの冷蔵室側からの比較的温度の高くなった冷気が流れ、これらの部屋の貯蔵物を間接的にヒーターを使うことなく比較的に温度の高い状態で保存する。
【００２６】
高温部屋冷気もどり口１７にもどった冷気は冷気もどり通路１５をとおり、低温部屋冷気もどり口１６からもどった冷気と合流し、蒸発器１３に通じる蒸発器用冷気通路１８をとおり蒸発器１３の下部へ帰る。冷気もどり通路１５には野菜室２側にも断熱材を設けてあるため、低温部屋３ａおよび小物低温部屋８ａ近傍の冷気もどり通路１５を比較的温度の高くなった冷気がとおっても、冷気もどり通路１５内での結露のおそれはなく、また、低温部屋３ａおよび小物低温部屋８ａを暖めるおそれもない。
【００２７】
なお、低温部屋用仕切開口部１０ａが、高温部屋３ｂ側へ開口面積を多くなるように片寄って、冷気吐き出し口５近傍に設けられた場合、上記低温部屋用仕切開口部１０ａから流れ出る冷蔵室側からの比較的温度の高くなった冷気が高温部屋３ｂ側へ多く流れ、高温部屋３ｂをよりいっそう温度の高い状態に保つことは明白である。
【００２８】
また、小物ケース８が隔壁にて仕切られていない場合は小物ケース８内はケース３内の低温部屋３ａや高温部屋３ｂと異なる温度になり、ケース３上部の小物ケース８は断熱空気層を設けた場合と同じ働きになり、低温部屋３ａや高温部屋３ｂが設定温度になるには時間がかかる傾向にあるが、小物ケースの隔壁９にてケース３に合わせて小物ケース８を各々独立した小物低温部屋８ａや小物高温部屋８ｂに仕切っているため、ケース３側の対応する各々の独立部屋に近い温度に小物ケース８側の各部屋もなり、容易に各々の部屋が設定された温度になる。
【００２９】
ここで、隔壁４および小物ケースの隔壁９は２重構造にしてあり、断熱効果をあげている。場合によっては、隔壁４および小物ケースの隔壁９内に断熱材をいれてもよい。また、隔壁４はケース３と各々一体に、小物ケースの隔壁９は小物ケース８と各々一体に形成してもよい。
【００３０】
【発明の効果】
本発明の冷蔵庫は上記のような構成であるから、請求項１記載の発明は、高温部屋付近には冷気が少なく流れ、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、また、高温部屋へはヒータを使うことなく高い温度の部屋が得られ、そのぶん電気の使用量が少なくてすむ。
【００３１】
また、請求項２記載の発明は、高温部屋付近には冷気が少なく流れるよう設定でき、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、高温部屋へはヒータを使うことなく高い温度の部屋が得られる。
【００３２】
また、請求項３記載の発明は、高温部屋付近には冷蔵室からの比較的温度の高い冷気が流れるよう設定でき、ヒータを使うことなく高い温度の部屋が得られると同時に、冷蔵室からの比較的温度の高い冷気と冷気吐き出し口からの冷気が混ざり合い低温部屋には野菜凍結の心配のない野菜保存に適した温度が容易に得られる。
【００３３】
そして、請求項４記載の発明は、高温部屋付近には冷蔵室からの比較的温度の高い冷気が確実により多く流れるよう設定でき、ヒータを使うことなく高い温度の部屋がいっそう確実に得られる。
【００３４】
また、請求項５記載の発明は、高温部屋付近には冷気が少なく流れるよう設定でき、また、低温部屋付近には冷気が多く流れ、かつ、高温部屋付近を流れて比較的温度の高くなった冷気が低温部屋付近には流れ込まず、低温部屋付近へは常に温度の低い冷気のみが流れるようになり、高温低温の温度設定が効率よくでき、高温部屋へはヒータを使うことなく高い温度の部屋が得られる。また、高温部屋付近には冷蔵室からの比較的温度の高い冷気が確実により多く流れるよう設定でき、ヒータを使うことなく高い温度の部屋がいっそう確実に得られると同時に、冷蔵室からの比較的温度の高い冷気と冷気吐き出し口からの冷気が混ざり合い低温部屋には野菜凍結の心配のない野菜保存に適した温度が容易に得られる。
【００３５】
さらに、請求項６記載発明は、小物ケースも各々独立した部屋となり、ケース側の対応する各々の独立部屋に近い温度に小物ケース側も設定され、より容易に各部屋の温度設定ができる。
【図面の簡単な説明】
【図１】本発明の冷蔵庫の実施の形態を示す野菜室付近の要部断面図である。
【図２】図１に示す野菜室付近のＡ−Ａ線の要部断面図である。
【符号の説明】
２  野菜室
３  ケース
３ａ  低温部屋
３ｂ  高温部屋
４  隔壁
５  冷気吐き出し口
６  野菜室背壁
８  小物ケース
９  小物ケースの隔壁
１０  上部仕切部
１０ａ  仕切開口部（低温部屋用）
１０ｂ  仕切開口部（高温部屋用）
１６  低温部屋冷気もどり口
１７  高温部屋冷気もどり口
【図１】
0003594480.tif 000002
【図２】
0003594480.tif 000003